(57)【要約】【課題】遊技者が自ら大当りの価値を高めることができ、興趣の豊かな遊技機を提供すること。【解決手段】当否判定手段により大当りとなることを条件に作動する条件装置と、条件装置の作動に基づいて大当り遊技が実施されると大入賞口を連続的に開閉作動せしめる役物連続作動装置とを備えた遊技機において、遊技者により操作が可能な複数の操作ボタンと、これら操作ボタンが操作されたことを検出する複数の検出手段と、前記役物連続作動装置により大入賞口を連続して開閉作動させる役物連続作動回数を決定する役物連続作動回数決定手段とを設け、役物連続作動回数決定手段により大当り図柄と複数の前記検出手段による検出順序に基づいて役物連続作動回数を決定するようになした。【選択図】図１２
2014079610.tif 000002
【特許請求の範囲】
【請求項１】
遊技盤に設けられた始動口への入球に起因して大当りとなるか否かの当否判定を実行する当否判定手段と、
該当否判定手段による判定結果に基づいて複数種類の異なる大当り図柄から１つの大当り図柄を決定する図柄決定手段と、
該図柄決定手段により決定された大当り図柄を表示する表示手段と、
前記当否判定手段により大当りを生起するとの判定がなされ、かつ前記表示手段に大当り図柄が表示されることを条件に作動する条件装置と、
該条件装置の作動に基づいて大当り遊技が実施され、大当り遊技中に大入賞口を連続的に開閉作動せしめる役物連続作動装置と、を備えた遊技機において、
遊技者により操作が可能な複数の操作ボタンと、
これら操作ボタンが操作されたことを検出する複数の検出手段と、
前記役物連続作動装置により大入賞口を連続して開閉作動させる役物連続作動回数として前記図柄決定手段により決定された大当り図柄に応じて予め複数種類の異なる回数が設定されており、これら複数種類の異なる役物連続作動回数から１つの回数を決定する役物連続作動回数決定手段と、を備え、
該役物連続作動回数決定手段は、大当り図柄と複数の前記検出手段による操作ボタンの検出順序に基づいて役物連続作動回数を決定するように構成されたことを特徴とする遊技機。
【請求項２】
請求項１に記載の遊技機において、
遊技中に所定条件が成立すると、遊技者にとって有利となる役物連続作動回数が決定される前記検出手段の検出順序を報知する有利情報報知手段を設けたことを特徴とする遊技機。
【請求項３】
請求項２に記載の遊技機において、
大当りの生起に有利な特典遊技を付与する特典遊技付与手段を備え、
前記所定条件として、前記特典付与手段により特典遊技が付与されていることを条件とするようになした遊技機。
【請求項４】
請求項２または３のいずれかに記載の遊技機において、
大当りの生起に起因して乱数が抽出されて該乱数に応じて当否の抽選を行なう抽選手段を設け、
前記所定条件として、前記抽選手段による抽選結果が当りであることを条件とするようになした遊技機。
【発明の詳細な説明】
【技術分野】
【０００１】
本発明は遊技機、特に大当り遊技において大入賞口の開閉回数である役物連続作動回数の変更が可能な遊技機に関する。
【背景技術】
【０００２】
従来、遊技機であるパチンコ機は、遊技球が始動口へ入球すると、これに起因して乱数値が抽出され、乱数値に基づいて大当りとなるか否かの当否判定を行なうとともに、大当りの種類を示す特別図柄を決定し、決定された特別図柄に応じて大当り遊技中に大入賞口が開閉するラウンド数（大入賞口の開閉回数)を決定する。このラウンド数に応じて賞球の獲得数に差が生じることなり大当りの価値が異なるものとなる。
【０００３】
しかし、始動口への入球に起因して抽出された乱数値に基づいて大当りの価値が決定される構成では、大当りの生起や生起した大当りの価値について遊技者に選択の余地がなく、パチンコ機任せや運次第という印象を遊技者に与えるので遊技者のモチベーションが上がらず、面白味が半減している。
そこで近時、大当りが生起した場合に、ラウンド数を決定する複数のラウンド数決定入球口を設け、振分装置において振分けられた遊技球がいずれかのラウンド数決定入球口へ入球し、入球したラウンド数決定口に応じて上限ラウンド数を決定する遊技機が提案されている（例えば、特許文献1参照）。
【先行技術文献】
【特許文献】
【０００４】
【特許文献１】特開２００８−１８３０４４号公報
【発明の概要】
【発明が解決しようとする課題】
【０００５】
しかしながら、特許文献１に記載の遊技機では、振分装置（クルーン）内での遊技球の帰趨（入賞するラウンド数決定口の種類）によって大当りの上限ラウンドが決定されるが、振分装置内での遊技球の帰趨はランダムであり、遊技者がどのラウンド数決定口へ入賞させるかを選択することはできず、パチンコ機任せや運次第という印象を完全に払拭することができたとは言えない。
【０００６】
そこで、本発明は前記事情に鑑み、生起した大当りの価値を決定するための要素を遊技者の意思によって選択することを可能とし、興趣の豊かな遊技機を提供することを課題としてなされたものである。
【課題を解決するための手段】
【０００７】
請求項１に記載の発明は、遊技盤に設けられた始動口への入球に起因して大当りとなるか否かの当否判定を実行する当否判定手段と、
該当否判定手段による判定結果に基づいて複数種類の異なる大当り図柄から１つの大当り図柄を決定する図柄決定手段と、
該図柄決定手段により決定された大当り図柄を表示する表示手段と、
前記当否判定手段により大当りを生起するとの判定がなされ、かつ前記表示手段に大当り図柄が表示されることを条件に作動する条件装置と、
該条件装置の作動に基づいて大当り遊技が実施され、大当り遊技中に大入賞口を連続的に開閉作動せしめる役物連続作動装置と、を備えた遊技機において、
遊技者により操作が可能な複数の操作ボタンと、
これら操作ボタンが操作されたことを検出する複数の検出手段と、
前記役物連続作動装置により大入賞口を連続して開閉作動させる役物連続作動回数として前記図柄決定手段により決定された大当り図柄に応じて予め複数種類の異なる回数が設定されており、これら複数種類の異なる役物連続作動回数から１つの回数を決定する役物連続作動回数決定手段と、を備え、
該役物連続作動回数決定手段は、大当り図柄と複数の前記検出手段による操作ボタンの検出順序に基づいて役物連続作動回数を決定するように構成する。
【０００８】
請求項１の発明によれば、当否判定により大当りとなると、大当り遊技における大入賞口の開放回数が、複数設けられた操作ボタンの操作順序に応じて決められるので、遊技者は積極的に操作ボタンを操作して有利な内容の大当り遊技(大入賞口の多開放)の獲得を狙うこととなる。従って、従来の遊技機のように大当りとなっても大当り遊技の内容が遊技機任せであったり運次第であるといったマイナスの印象を払拭し、遊技者自らがボタン操作により有利な内容を獲得するといった印象を与え、興趣を高めることができる。
特に、大当り図柄ごとに有利な大当り遊技の内容となる操作順序を相違させて遊技者にさまざまな入球順序を試させるようにすることで面白味を増すことができる。
【０００９】
請求項２に記載の発明は、請求項１に記載の遊技機において、
遊技中に予め設定された所定条件が成立すると、遊技者にとって有利となる役物連続作動回数が決定される前記検出手段の検出順序を報知する有利情報報知手段を設ける。
【００１０】
請求項２の発明によれば、条件に応じて有利な大当りを得る操作順序を知らせるので、意外性があり、遊技者は示された順序で有利な大当りを得やすい。よって所定条件の成立に基づいて入球順序または操作順序の報知により賞球数（出球）に影響を及ぼすこととなり面白味が増す。
【００１１】
請求項３に記載の発明は、請求項２に記載の遊技機において、
大当りの生起に有利な特典遊技を付与する特典遊技付与手段を備え、
前記所定条件として、前記特典付与手段により特典遊技が付与されていることを条件とするように構成する。
【００１２】
請求項３の発明によれば、特典遊技（所謂、時短遊技、確変遊技又は確変時短遊技）が付与されているか否かの判断を検出順序の報知を行うための条件としたことで、遊技者は有利な大当りを得やすい状態となり、特典遊技の価値を高めることができる。
【００１３】
請求項４に記載の発明は請求項２または３のいずれかに記載の遊技機において、
大当りの生起に起因して乱数が抽出されて該乱数に応じて当否の抽選を行なう抽選手段を設け、
前記所定条件として、前記抽選手段による抽選結果が当りであることを条件とするように構成する。
【００１４】
請求項４の発明によれば、乱数を用いた抽選結果を検出順序の報知を行うための条件としたことで、所定の確率で有利となる役物連続作動回数が決定される前記検出手段の検出順序が報知されることになり、遊技の興趣を高めることができる。
【図面の簡単な説明】
【００１５】
【図１】本発明を適用した第１の実施形態の遊技機の正面図である。
【図２】前記遊技機の遊技盤の正面図である。
【図３】前記遊技盤に設けられた振分装置と複数の検出スイッチを示す要部拡大図である。
【図４】前記遊技機の電気ブロック図である。
【図５】前記遊技機の主制御装置で実行されるメインルーチンの制御内容を示すフローチャートである。
【図６】前記主制御装置で実行される始動入賞処理の制御内容を示すフローチャートである。
【図７】前記主制御装置で実行される特図関連処理の制御内容を示す第１のフローチャートである。
【図８】前記特図関連処理の制御内容を示す第２のフローチャートである。
【図９】前記特図関連処理の制御内容を示す第３のフローチャートである。
【図１０】前記特図関連処理の制御内容を示す第４のフローチャートである。
【図１１】前記主制御装置で実行される役物連続作動回数決定処理の制御内容を示す第１のフローチャートである。
【図１２】前記遊技機に用いられる大当り図柄と役物連続作動回数との関係を示す図である。
【図１３】前記主制御装置で実行される特別遊技処理の制御内容を示す第１のフローチャートである。
【図１４】前記特別遊技処理の制御内容を示す第２のフローチャートである。
【図１５】前記特別遊技処理の制御内容を示す第３のフローチャートである。
【図１６】本発明を適用した第２の実施形態の遊技機のサブ統合制御装置で実行される検出順序表示処理１の制御内容を示すフローチャートである。
【図１７】前記遊技機の表示装置に表示される検出順序表示の表示態様を示す図である。
【図１８】本発明を適用した第３の実施形態の遊技機のサブ統合制御装置で実行される検出順序表示処理２の制御内容を示すフローチャートである。
【図１９】本発明を適用した第４の実施形態の遊技機のサブ統合制御装置で実行される表示乱数抽出処理の制御内容を示すフローチャートである。
【図２０】前記サブ統合制御装置で実行される検出順序表示処理３の制御内容を示すフローチャートである。
【図２１】本発明を適用した第５の実施形態の遊技機の正面図である。
【発明を実施するための形態】
【００１６】
本発明を適用した実施形態の遊技機たるパチンコ機を説明する。図１に示すように、パチンコ機１は、縦長の固定外郭保持枠をなす外枠１０にて構成の各部を保持する構造としてある。外枠１０には、左側の上下の位置に設けたヒンジ１０１を介して、板ガラス１１０が嵌め込まれた前枠(ガラス枠)１１および図略の内枠が開閉可能に設けてある。なお、これら前枠１１および前記内枠はシリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
前枠１１の板ガラス１１０の奥には前記内枠に保持された遊技盤２（図２）が設けてある。
【００１７】
前枠１１の上部の左右両側位置にはそれぞれスピーカ１１２が設置してあり、これらにより遊技音が出力され、遊技者の趣向性を向上させる。また前枠１１には遊技状態に応じて発光する枠側装飾ランプ１１３のほか、遊技の異常を報知するＬＥＤ類が設けてある。
【００１８】
前枠１１の下半部には上皿１２と下皿１３とが一体に形成してある。下皿１３の右側には発射ハンドル１４が設けてあり、該発射ハンドル１４を時計回りに操作することにより発射装置が作動して、上皿１２から供給された遊技球が遊技盤２に向けて発射される。また上皿１２には賞球が払い出される。
下皿１３は上皿１２から溢れた賞球を受ける構成で、球抜きレバーの操作により下皿１３に溜まった遊技球を遊技店に備えられた別箱(ドル箱)に移すことができる。
【００１９】
本パチンコ機１は所謂ＣＲ機であって、プリペイドカードの読み書きを行うプリペイドカードユニット(ＣＲユニット)６０が隣接してある。パチンコ機１には上皿１２の右側に貸出ボタン１７１、精算ボタン１７２および残高表示器１７３が設けてある。また上皿１２の中央位置には遊技者が操作可能な遊技ボタン１５と、その外周を囲むようにジョグダイヤル１６が設置されている。
【００２０】
図２は遊技盤２を示し、遊技盤２には外レール２０１と内レール２０２とによって囲まれた略円形の遊技領域２０が形成されている。遊技領域２０には、その中央部にセンターケース２００が装着されている。
センターケース２００は中央に演出図柄表示装置２１（全体の図示は省略）のＬＣＤパネルが配設されている。またセンターケース２００には、周知のものと同様にワープ入口、ワープ樋、ステージなどが設けられている。
【００２１】
センターケース２００の中央直下位置には、常時、遊技球の入球が可能で、入球により特別図柄（以下、単に特図という）の抽選を実行する第１特図始動口２３Ａが設けてある。
またセンターケース２００の右側位置には、遊技球が通過時に普通図柄（以下、単に普図という）の抽選が実行される作動ゲート（作動口）２２と、その直下位置にチューリップ式普通電動役物からなり、入球時に特図の抽選が実行される特図の第２特図始動口２３Ｂが設置されている。
該第２特図始動口２３Ｂは普通電動役物（以下、単に普電役物という）の開放時にのみ入球（入賞）可能である。普電役物は、普図の抽選で当りとなると所定時間開放する構成である。
【００２２】
第１および第２特図始動口２３Ａ，２３Ｂの下方には、開閉板により開閉される大入賞口２４が設けられている。また第１および第２特図始動口２３Ａ，２３Ｂの左側に複数の普通入賞口２７が設置され、更に大入賞口２４の下方で遊技領域２０の最下部にはアウト球口２０３が設けられている。
尚、遊技領域２０には、図略の多数の遊技釘や風車が植設されている。
また遊技盤２の右下端部には、レール２０１の外部に、特図表示装置２７、特図保留数表示装置２７１、普通図柄表示装置２８および普図保留数表示装置２８１が設けられている。
【００２３】
更にまた遊技領域２０には第１および第２特図始動口２３Ａ，２３Ｂの右側位置に、遊技球を３つの領域へ入球可能に振分ける振分装置３０が設置されている。
図３に示すように、振分装置３０は遊技球が入球可能な入球口３１からヘアピン状に屈曲する遊技球通路３２が設けてあり、入球口３１から入球した遊技球を流下する。遊技球通路８２の下流端は図中右向きに開放しており、下流端開放部３２１に達した遊技球は、振分手段である振分部３３により３つの領域へ入球可能に振分けられる。
【００２４】
振分部３３は、前記下流端開放部３２１に隣接して略円盤のスプロケットからなり、スプロケット３３は、その側面に３つの凹部が等間隔に形成され、それぞれが遊技球を保持するＡ領域３４、Ｂ領域３５、Ｃ領域３６となっている（これらは特許請求の範囲に記載の複数の所定の領域に相当する）。スプロケット３３はその中心軸に連結されたモータよる駆動で時計回りに回転してＡ領域３４、Ｂ領域３５、Ｃ領域３６が順次、下流端開放部３２１を臨む位置を通過していく。このときに遊技球通路３２を流下してきた遊技球があれば、遊技球はＡ領域３４、Ｂ領域３５、Ｃ領域３６のいずれかに入球して入球が検出される。また遊技球が入球したＡ領域３４、Ｂ領域３５、Ｃ領域３６は、遊技球を保持しつつ、遊技領域へとつながる排出口３８に到る排出通路３７に渡すようになっている。
【００２５】
ところでスプロケット３３は、電源投入時から一定の速度で回転動作（一定の間隔で切替動作）しており、所定時間の間隔でＡ領域３４に達する位置、Ｂ領域３５に達する位置、Ｃ領域３６に達する位置へと変化する（切り替わる）。そして、遊技球は、遊技球通路３２の下流端開放部３２１に達したときにＡ領域３４、Ｂ領域３５、Ｃ領域３６が下流端開放部３２１を臨む位置になければ、当該位置にＡ領域３４、Ｂ領域３５、Ｃ領域３６のいずれかが来るまでスプロケット３３の側面と当接状態を維持し、Ａ領域３４、Ｂ領域３５、Ｃ領域３６のいずれかが下流端開放部３２１と対向する位置に来た時点でＡ領域３４、Ｂ領域３５、Ｃ領域３６のいずれかに入球することになる。
【００２６】
図４は本パチンコ機１の電気的構成を示すもので、遊技の制御を司る主制御装置４０を中心に、サブ制御装置として払出制御装置４１、サブ統合制御装置４２および演出図柄制御装置４３を具備する構成である。主制御装置４０、払出制御装置４１、サブ統合制御装置４２および演出図柄制御装置４３においては、何れもＣＰＵ、ＲＯＭ、ＲＡＭ、入力ポート、出力ポート等を備え、これら制御装置は何れもＣＰＵにより、２ｍｓ周期又は４ｍｓ周期の割り込み信号に起因してＲＯＭに搭載しているメインルーチンおよびサブルーチンからなるプログラムが開始され、各種の制御が実行される。
発射制御装置４４にはＣＰＵ、ＲＯＭ、ＲＡＭ等が設けられていない。しかしこれに限るわけではなく、発射制御装置４４にＣＰＵ、ＲＯＭ、ＲＡＭ等を設けてもよい。
【００２７】
主制御装置４０は、裏配線中継端子板５３０および外部接続端子板５３８を介して遊技施設のホールコンピュータ５００と電気的に接続される。また主制御装置４０には、裏配線中継端子板５３０や遊技盤中継端子板５３１を介して、前枠（ガラス枠）１１および内枠３０が開放しているか否か検出するガラス枠開放ＳＷ（スイッチ）５０１、内枠開放ＳＷ５０２、第１特図始動口２３Ａへの入球を検出する第１特図始動口ＳＷ５０３、第２特図始動口２３Ｂへの入球を検出する第２特図始動口ＳＷ５０４、普図始動ゲート２２への入球を検出する普通図柄作動ＳＷ５０５、普通入賞口２６への入球を検出する左入賞口ＳＷ５０６、大入賞装置２４への入球を検出するカウントＳＷ５０７、振分装置３０のＡ領域３４への入球を検出するＡ検出ＳＷ５０８、Ｂ領域３５への入球を検出するＢ検出ＳＷ５０９、Ｃ領域３６への入球を検出するＣ検出ＳＷ５１０、および振分装置３０への入球を検出する振分入球ＳＷ５１１等の検出信号が入力される。尚、前記Ａ検出ＳＷ５０８、Ｂ検出ＳＷ５０９、Ｃ検出ＳＷ５１０は特許請求の範囲に記載の検出手段に相当する。
【００２８】
また主制御装置４０は搭載しているプログラムに従って動作して、上述の検出信号などに基づいて遊技の進行に関わる各種のコマンドを生成し、払出制御装置４１や、演出中継端子板５３２を介してサブ統合制御装置４２、演出図柄制御装置４３へ向けてのコマンドの出力や、図柄表示装置中継端子板５３３を介して特図表示装置２７、特図保留数表示装置２７１、普通図柄表示装置２８および普図保留数表示装置２８１の表示制御を行なう。
【００２９】
更に主制御装置４０は、遊技盤版中継端子板５３１を介して大入賞口ソレノイド５１２を制御して大入賞装置２４を開放作動せしめる。また第２特図始動口２３Ｂの普電役物ソレノイド５１３を制御して第２特図始動口２３Ｂの普電役物の開閉や、スプロケモータ５１４を制御して振分装置３０のスプロッケト３３を回転駆動せしめる。
主制御装置４０からの出力信号は試験信号端子にも出力される他、図柄変動や大当り等の管理用の信号が外部接続端子板５３８を経てホールコンピュータ５００に送られる。
主制御装置４０と払出制御装置４１とは双方向通信が可能である。
【００３０】
払出制御装置４１は、裏配線中継端子板５３０や払出中継端子板５３４を介して遊技機裏面の球タンクが空状態になったことを検出する球切れＳＷ５２０、遊技球が払い出されたことを検出する払出ＳＷ５２２、遊技球貯留皿が満杯状態になったことを検出する満杯ＳＷ５２３等の検出信号が入力される。主制御装置４０から送られてくるコマンドに応じて払出モータ５２１を稼働させて遊技球を払い出させる。また、ＣＲユニット端子板５３５を介してＣＲユニット６０と電気的に接続され、貸出要求信号に応じて払出モータ５２１を稼働させて貸球を払い出させる。精算表示装置１７３を介して球貸および精算ＳＷ１７１，１７２による貸出要求、精算要求の操作信号は、ＣＲユニット６０に入力され、プリペイドカードの残高表示はＣＲユニット６０によって制御する。
【００３１】
発射制御装置４４は、発射停止ＳＷ５２４、発射ハンドル１４に遊技者が接触（操作）していることを検出するタッチＳＷ５２５等の検出信号が入力される。払出制御装置４１を介して主制御装置４０から送られてくるコマンド（タッチＳＷ５２５の信号や遊技状況を反映している）、発射ハンドル１４の回動信号および発射停止ＳＷ５２４の信号に基づいて発射モータ５２６を制御して遊技球を発射および停止させる。
【００３２】
サブ統合制御装置４２には遊技ボタン１５やジョグダイヤル１６などの操作信号が入力される。
そしてサブ統合制御装置４２は、スピーカ１１２を駆動して音声を出力することや、各種ＬＥＤや各種ランプ１１３の点灯、消灯等を制御する。更に演出図柄制御装置４３へキャラクタなどを表示する擬似演出や特図の擬似図柄の表示態様のコマンドを送信する。
【００３３】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【００３４】
次にパチンコ機１の作動を説明する。
パチンコ機１は、始動ゲート２２への入球に起因して普図の当否抽選を行い、普図表示装置２８の図柄変動を開始する。前記抽選結果が当りであれば、表示装置２８に当選結果を確定表示して前記普電役物を開放する。これにより第２特図始動口２３Ｂへの入賞が可能（又は容易）となる。
第１又は第２特図始動口２３Ａ，２３Ｂへの入賞があると、これに起因して乱数値が抽出され、該乱数値に基づいて特図の当否判定を行い、特図表示装置２７および演出図柄表示装置２１の図柄変動を開始する。判定結果が大当りであれば、大当り図柄を決めて各表示装置２７，２1に大当り図柄を確定表示して大当り遊技（特別遊技）に移行する構成である。尚、演出図柄表示装置２１には特図に対応する擬似演出図柄が表示される。
大当り遊技に移行するに当たって、当否判定時に設定された大当り図柄の種類、振分装置３０のＡ領域３４、Ｂ領域３５、Ｃ領域３６への入球順序に応じて大当り遊技のラウンド数（大入賞口２４の開放回数）を決定する。大当り遊技のラウンド数は予め設定された回数の異なる複数種類のラウンド数から決定される。この場合、Ａ領域３４、Ｂ領域３５、Ｃ領域３６への入球順序は、遊技者が遊技球の発射のタイミングを見計らって入球順序の操作が可能である。
大当り遊技終了後には、遊技状態を大当りの当選確率が高確率となる確率変動（確変）遊技および普図の当選が高確率となり特図の変動時間が短縮される時間短縮（時短）遊技へと移行可能な基本構成を有する。
【００３５】
以下、作動の詳細を主制御装置４０で実行されるプログラム処理に基づいて説明する。
図５は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【００３６】
正常割り込みなら（Ｓ１００：ｙｅｓ）、初期値乱数更新処理（Ｓ１０１）、特図の当否判定用の乱数値である大当り決定用乱数の更新処理（Ｓ１０２）、特図の大当り図柄決定用乱数の更新処理（Ｓ１０３）、普図の当り判定用乱数の更新処理（Ｓ１０４）、特図のリーチに関するリーチ判定用乱数の更新処理（Ｓ１０５）、特図の変動パターンに関する変動パターン決定用乱数の更新処理（Ｓ１０６）、入賞確認処理（Ｓ１０７）、特図関連処理（Ｓ１０８）、各出力処理（Ｓ１０９）、不正監視処理（Ｓ１１０）を行って、次に割り込み信号が入力されるまでの残余時間内には初期乱数更新処理（Ｓ１１１）をループ処理する。
【００３７】
次に、本発明に関わりの深い入賞確認処理（Ｓ１０７）、特図関連処理（Ｓ１０８）および各出力処理（Ｓ１０９）の一部のサブルーチンについて説明する。
図６に示す「始動入賞確認処理」は前記入賞確認処理（Ｓ１０７）のサブルーチンで、第１および第２特図始動口２３Ａ，２３Ｂへの入球があれば（Ｓ２００：ｙｅｓ）、特図の保留記憶が満杯か確認する（Ｓ２０１）。本実施形態における記憶可能な保留記憶数は各４個である。
【００３８】
保留記憶が満杯でなければ（Ｓ２０１：ｎｏ）、Ｓ２０２の抽出乱数保留記憶処理において、前記入球に起因して抽出した複数の乱数値（大当り決定用乱数、大当り図柄決定用乱数、リーチ判定用乱数、変動パターン決定用乱数等）を保留記憶として記憶する。またこの処理では、特図保留数表示装置２７１の点灯数を１つ増加させるとともに、サブ統合装置４２へ現在の保留記憶数を送信する特図保留数コマンドの送信処理を行う。Ｓ２０２の処理後、リターンする。
【００３９】
図７乃至図１０は「特図関連処理」のフローチャートを示す。図７に示すように「特図関連処理」は、先ず、役物連続作動装置の作動を確認して大当り遊技中であるか否かを確認し（Ｓ３００）、大当り遊技中でなければ（Ｓ３００：ｎｏ）、特図が変動中であるか否かを確認し（Ｓ３０１）、変動中でなければ（Ｓ３０１：ｎｏ）、特図の確定図柄が確定表示中であるか否かを確認する（Ｓ３０２）。尚、特別電動役物が作動中（Ｓ３００：ｙｅｓ）であれば「特別遊技処理」に移行する。
【００４０】
前記Ｓ３０２の処理で確定図柄が表示中でなければ（Ｓ３０２：ｎｏ）、図８に示すように、特図の保留記憶があるか否かを確認する（Ｓ３１０）。保留記憶がなければ（Ｓ３１０：ｎｏ）、「特別遊技処理」に移行する。保留記憶があれば（Ｓ３１０：ｙｅｓ）、記憶数を減算し、保留記憶のシフト処理を行う（Ｓ３１１）。該シフト処理により特図の保留記憶のうち最も古い保留記憶が当否判定の対象となる。
【００４１】
次にＳ３１２の処理で、確変フラグを確認して現在の遊技状態が前記確変遊技状態であるか確認する（確変フラグが「１」であれば確変中）。確変中であれば（Ｓ３１２：ｙｅｓ）、確変時の当否判定用テーブルと前記当否判定の対象となる保留記憶の大当り決定用乱数とを対比して大当りか否か当否判定を行う（Ｓ３１３）。
確変中でなければ（Ｓ３１２：ｎｏ）、通常確率（低確率）の当否判定用テーブルと前記大当り決定用乱数とを対比して大当りか否か当否判定を行う（Ｓ３１４）。
【００４２】
続くＳ３１５の処理では、Ｓ３１３又はＳ３１４の処理の当否判定が大当りか否かの確認を行う。
大当りであれば（Ｓ３１５：ｙｅｓ）、Ｓ３１６の処理において、前記当否判定の対象となる保留記憶の大当り図柄決定用乱数に基づいて大当り図柄を決定する。
Ｓ３１７の処理では、前記当否判定の対象となる保留記憶の変動パターン決定用乱数に基づいて、演出図柄表示装置２１に表示される特図の大当り用の変動時間などといった変動パターンを決定する。尚、前記Ｓ３１５の処理は特許請求の範囲に記載の「当否判定手段」に、前記Ｓ３１６の処理は「図柄決定手段」に相当する。
【００４３】
変動パターンの決定後、Ｓ３１８で大当り設定処理を行う。この処理では、前記決定された大当り図柄に基づき、例えば演出図柄表示装置２１で実行される大当り遊技のオープニング演出の時間の設定、エンディング演出の時間等の設定がなされる。
【００４４】
前記Ｓ３１５の処理において、大当りでなくハズレであれば（Ｓ３１５：ｎｏ）、Ｓ３１９の処理において、演出図柄表示装置２１に表示される特図のハズレ用の変動時間などといった変動パターンを決定する。続くハズレ設定処理（Ｓ３２０）では、遊技状態が確変であれば、その継続期間をカウントする確変カウンタを減算する。
【００４５】
前記Ｓ３１８又はＳ３２０の各設定処理の後、Ｓ３２１の処理では、特図表示装置２７の図柄変動開始制御を行い、サブ統合制御装置４２へ図柄の変動開始コマンド、図柄指定コマンドを送信し、「特別遊技処理」へ移行する。変動開始コマンド、図柄指定コマンドには特図の変動パターン、特図の当否判定の判定結果などが含まれる。
【００４６】
前記図７のＳ３０１の処理で特図の変動中のときは（Ｓ３０１：ｙｅｓ）、図９に示すように、図柄の変動時間が経過したことを確認すると（Ｓ３３０：ｙｅｓ）、確定図柄表示処理（Ｓ３３１）において、特図表示装置２７Ａの特図の変動表示を終了させる制御を行い、サブ統合制御装置４２および演出図柄制御装置４３へ擬似図柄の変動表示および演出表示を終了させるように図柄確定コマンドを送信し、「特別遊技処理」へ移行する。
【００４７】
前記図７のＳ３０２の処理で特図の確定図柄を表示中であれば（Ｓ３０２：ｙｅｓ）、図１０のＳ３４０の処理に移行して、確定図柄表示時間が終了したか確認する。確定図柄表示時間が終了していなければ（Ｓ３４０：ｎｏ）、「特別遊技処理」へ移行する。
一方、確定図柄表示時間が終了したことを確認すると（Ｓ３４０：ｙｅｓ）、確定図柄表示終了の処理（Ｓ３４１）により特図表示装置２７Ａの特図の確定図柄表示を終了させる制御を行い、サブ統合制御装置４２へ特図に対応する擬似図柄の確定表示を終了させるようにコマンドを送信する。
【００４８】
続いて特図の図柄が大当りになる組合せであるか確認し（Ｓ３４２）、大当りになる組合せであったときは（Ｓ３４２：ｙｅｓ）、確変フラグが「１」であれば（Ｓ３４３：ｙｅｓ）、確変フラグに「０」をセットする（Ｓ３４４）。次に、時短フラグが「１」であれば（Ｓ３４５：ｙｅｓ）、時短フラグに「０」をセットする（Ｓ３４６）。これらの処理により大当り遊技（特別遊技）中での遊技状態を通常状態にリセットする。
【００４９】
続くＳ３４７の処理において条件装置の作動を開始させ、Ｓ３４８の処理では、後述する役物連続作動装置の作動回数の決定、即ち大当り遊技で大入賞口２４を開放するラウンド数の決定を行う。作動回数を決定した後、Ｓ３４９の処理において役物連続作動装置の作動を開始させる。尚、条件装置は大当り遊技で役物連続作動装置の作動に必要な装置であり、役物連続作動装置は大入賞口２４の特別電動役物を連続して作動させる装置である。
そして大当り開始演出処理（Ｓ３５０）によりサブ統合制御装置４２へ大当り演出を開始させるようにコマンドを送信し、「特別遊技処理」に移行する。
【００５０】
前記Ｓ３４２の処理で、大当りになる組合せでなければ（Ｓ３４２：ｎｏ）、確変フラグが「１」であるか確認し（Ｓ３５１）、確変フラグが「１」であり（Ｓ３５１：ｙｅｓ）、確変カウンタ（回数）が「０」であれば（Ｓ３５２：ｙｅｓ）、確変フラグを「０」にセットする（Ｓ３５３）。
続く処理で時短フラグが「１」であり（Ｓ３５４：ｙｅｓ）、時短カウンタ（回数）が「０」であれば（Ｓ３５５：ｙｅｓ）、時短フラグを「０」にセットする（Ｓ３５６）。
続くＳ３５６の状態指定コマンド送信処理では、遊技状態を示す確変フラグや時短フラグの情報等を含む状態指定コマンドを、サブ統合制御装置４２へ送信する。その後、「特別遊技処理」に移行する。
【００５１】
前記役物連続作動回数の決定は、特図の大当り図柄が確定表示された後に、遊技者が前記振分装置３０の３つの領域、Ａ領域３４、Ｂ領域３５、Ｃ領域３６へ遊技球を入球させ、その入球順序と前記大当り図柄に応じてなされる。
この場合、図柄が確定後に演出図柄表示装置２１において、遊技者にＡ領域３４、Ｂ領域３５、Ｃ領域３６への入球を促す表示を行う。
【００５２】
振分装置３０は、大当り図柄が確定表示されると、遊技者はタイミングを見計らって遊技球を発射し、自分の思う順序でＡ領域３４、Ｂ領域３５、Ｃ領域３６の各領域へ入球させることができ、遊技者の遊技技術の介入が可能である。尚、一度入球した領域の検出ＳＷは無効とされ、再度同じ領域に入球があっても検出しない構成とする。又は一度入球した領域をシャッターなどで塞いで入球できない構成でもよい。また、下流端開放部３２１の底部を可動式とし、Ａ領域３４、Ｂ領域３５、Ｃ領域３６のいずれかへの入球を検出した場合に底部を所定時間（例えば、スプロケット３３が１回転するのに要する時間程度）開放して排出通路３７へと誘導するように構成し、振分装置３０へと連続して入球した場合に、狙った順序とならない状況の発生を抑えることが望ましい。
【００５３】
振分装置３０はＡ，Ｂ，Ｃの全ての領域３４，３５，３６への入球が検出されるとスプロケット３３の回転を停止するように構成してもよい。この場合、入球口３１に設けられた遊技球検出センサにより装置３０へ入ったことが検出された球数と排出口３８に設けられた遊技球検出センサにより装置３０から排出された球数を照合して合致すればスプロケット３３を停止することが望ましい。尚、振分装置３０は、大当り遊技の内容を決めるとき以外は入球口３１をシャッター等で塞いでもよい。
【００５４】
図１１に示すように、前記Ｓ３４８のサブルーチンである「役物連続作動回数決定処理」では、Ｓ３７０の処理に３つの領域３４，３５，３６全てへの入球があり、全ての入球が検出されたか否かを確認する。全ての入球検出が完了していれば（Ｓ３７０：ｎｏ）、大当り図柄の確認を行い（Ｓ３７１）、続いてＡ領域３４、Ｂ領域３５、Ｃ領域３６への入球順序を確認し（Ｓ３７２）、役物連続作動回数の決定を行う（Ｓ３７３）。尚、Ｓ３７３の役物連続作動回数決定処理は特許請求の範囲に記載の役物連続作動回数決定手段に相当する。
【００５５】
この場合、図１２に示すにように、予め設定された大当り図柄と検出順序とラウンド数に関するテーブルにより役物連続作動回数が決められる。図例では大当り図柄が３０種類ある。入球順序は「Ａ→Ｂ→Ｃ」、「Ａ→Ｃ→Ｂ」、「Ｂ→Ａ→Ｃ」、「Ｂ→Ｃ→Ａ」、「Ｃ→Ａ→Ｂ」、「Ｃ→Ｂ→Ａ」の６通りであり、ラウンド数は「１６Ｒ」、「１０Ｒ」、「４Ｒ」の３通りが設定されている。
役物連続作動回数は、大当り図柄が「図柄１」であり入球順序が「Ｃ→Ｂ→Ａ」であれば「１６Ｒ」に決定され、大当り図柄が「図柄１５」であり入球順序が「Ｂ→Ｃ→Ａ」であれば「１０Ｒ」となり、大当り図柄が「図柄３０」であり入球順序が「Ｃ→Ａ→Ｂ」であれば「４Ｒ」に決定される。
【００５６】
また前記テーブルでは各大当り図柄において、６通りの入球順序に応じて３通りのラウンド数が割当てられている。６通りの入球順序に対して３通りのラウンド数「１６Ｒ」、「１０Ｒ」、「４Ｒ」の割当率は「１：４：１」とされる。
また大当り図柄に応じた入球順序とラウンド数の割当てが相違する。例えば、「図柄１」では入球順序が「Ａ→Ｂ→Ｃ」であればラウンド数が「１６Ｒ」であるが、入球順序が同じであっても、「図柄２」では「４Ｒ」、「図柄３」では「１０Ｒ」である。同様に「図柄１」ではラウンド数が「４Ｒ」となるには、入球順序が「Ｃ→Ｂ→Ａ」であるが、「図柄２」では「Ａ→Ｂ→Ｃ」、「図柄３」では「Ａ→Ｃ→Ｂ」である。
【００５７】
このように、大当り図柄に応じた入球順序とラウンド数の割当てを相違させたので、例えば、以前に「Ａ→Ｂ→Ｃ」の入球順序で「１６Ｒ」を得たとしても、毎回「Ａ→Ｂ→Ｃ」の入球順序で「１６Ｒ」となるとは限らないので、遊技者はいろいろな入球順序を試すこととなり面白味が増す。この場合、全ての大当り図柄を類似させておくことが望ましく、少なくとも、図例の横並びの図柄である「図柄１〜６」、「図柄７〜１２」、「図柄１３〜１８」、「図柄１９〜２４」、「図柄２５〜３０」は類似させる。
【００５８】
前記当否判定が行われ、役物連続作動回数が決定された後に実行される「特別遊技処理」は、図１３に示すように、先ずＳ４００の処理において、役物連続作動装置が作動中か確認し（Ｓ４００）、作動中であれば（Ｓ４００：ｙｅｓ）、Ｓ４０１の処理で大入賞口２４が開放中か確認する。
Ｓ４０１の処理で大入賞口２４が開放中でなければ（Ｓ４０１：ｎｏ）、インターバル中か確認し（Ｓ４０２）、インターバル中でなければ（Ｓ４０２：ｎｏ）、大当り終了演出中か確認し（Ｓ４０３）、大当り終了演出中でなければ（Ｓ４０３：ｎｏ）、大当り開始演出時間が経過したか確認し（Ｓ４０４）、大当り開始演出時間が経過していれば（Ｓ４０４：ｙｅｓ）、Ｓ４０５の大入賞口開放処理で大入賞口２４を開放してリターンする。
【００５９】
Ｓ４０１の処理で大入賞口開放中であれば（Ｓ４０１：ｙｅｓ）、図１４に示すように、大入賞口２４に規定入賞数（９個）の入賞があったか否かの確認（Ｓ４１０）、又は大入賞口２４の開放時間が終了したか否かを確認して（Ｓ４１１）、いずれか確認できれば大入賞口２４を閉鎖し（Ｓ４１２）、大当りインターバル処理を実行して（Ｓ４１３）、リターンする。大当りインターバル処理では、サブ統合制御装置４２へ大当りのインターバル演出を開始させるようにコマンドを送信する。
【００６０】
図１３のＳ４０２の処理でインターバル中であれば（Ｓ４０２：ｙｅｓ）、図１４のＳ４１４の処理で大当りインターバル時間が経過したか確認し、経過していれば（Ｓ４１４：ｙｅｓ）、前記「役物連続作動回数決定処理」（図１１）で決定した回数の最終ラウンドであるかどうか確認し（Ｓ４１５）、最終ラウンドであれば、（Ｓ４１５：ｙｅｓ）、大当り終了演出の処理（Ｓ４１６）を実行し、この処理でサブ統合制御装置４２に大当り終了コマンドを送信し、大当り遊技を終了してリターンする。
一方、最終ラウンドでなければ、（Ｓ４１５：ｎｏ）、大入賞口２４の開放処理（Ｓ４１７）を実行してリターンする。
【００６１】
図１３のＳ４０３の処理で大当り終了演出中であれば（Ｓ４０３：ｙｅｓ）、図１５に示すように、大当り終了演出時間の終了時間が経過したか確認し（Ｓ４２０）、経過していれば（Ｓ４２０：ｙｅｓ）、役物連続作動装置の作動を停止する処理（Ｓ４２１）を実行し、条件装置の作動を停止する処理（Ｓ４２２）を実行する。
【００６２】
続く、Ｓ４２３〜Ｓ４２８の処理では図９の「大当り設定処理（Ｓ３１９）」で設定された設定内容を参照し、大当り遊技後の遊技状態を設定する。即ちＳ４２３において、大当り遊技終了後に確変遊技に移行されるか確認し、移行される場合（Ｓ４２３：ｙｅｓ）は、確変設定処理（Ｓ４２４）および確変フラグに「１」をセットする処理（Ｓ４２５）を行う。
次にＳ４２６において、大当り遊技終了後に時短遊技に移行されるか確認し、移行される場合（Ｓ４２６：ｙｅｓ）は、時短設定処理（Ｓ４２７）および時短フラグに「１」をセットする処理（Ｓ４２８）を行う。尚、Ｓ４２３〜Ｓ４２８の処理は特許請求の範囲に記載の特典遊技付与手段に相当する。
【００６３】
その後、サブ統合制御装置４２へ大当り遊技終了のコマンドを送信するとともに（Ｓ４２９）、状態指定コマンドとして前記開放延長遊技状態へ移行するか否かの情報をサブ統合制御装置４２等へ送信する（Ｓ４３０）。その後にリターンする。
【００６４】
本実施形態のパチンコ機１によれば、当否判定により大当りとなると、大当り遊技におけるラウンド数（大入賞口の開放回数）が、大当り図柄と振分装置３０に複数設けられたＡ，Ｂ，Ｃの各領域３４，３５，３６への入球順序（Ａ，Ｂ，Ｃの各検出ＳＷ４，３５，３６の検出順序）に応じて決められるので、遊技者は積極的に上記各領域へ入球させて有利な内容の大当り遊技(ラウンド数の多い大当り遊技)の獲得を狙うこととなる。従って、従来の遊技機のように大当りとなっても大当り遊技の内容が遊技機任せであったり運次第であるといった印象を払拭し、遊技者が自らの遊技技術を駆使して有利な内容を獲得するといった印象を与え、興趣を高めることができる。
【００６５】
また、大当り図柄ごとに有利な内容の大当り遊技となる入球順序を相違させ、かつ大当り図柄を類似させたことによって、遊技者は大当り図柄を見ても順序が判断できず、遊技者にさまざまな入球順序を試させることができる。更に振分装置３０により定期的に所定の領域への入球の振分けを行い単に所定の領域へ入球させるのだけでなく、遊技者がタイミングを見計らって各領域３４，３５，３６を狙って入球させるように構成したので、大当り遊技への過程の面白味を増すことができる。
尚、図１２に示す「図柄」と「検出順序」と「ラウンド数」に関する仕様では、大当り遊技の平均ラウンド数が「１０Ｒ」にできる。
【００６６】
本パチンコ機１は、大当り図柄を確定表示してから遊技者によりＡ，Ｂ，Ｃの各領域３４，３５，３６へ入球順序（検出順序）が決められることで大当り遊技の内容（ラウンド数）を決定する構成であるが、これに限らず、他の構成として大当り遊技の内容を決定した後に大当り図柄を確定表示するようにしてもよい。
【００６７】
該他の構成では、前記特図関連処理のＳ３１６の大当り図柄決定処理（図８）において、少なくとも６種類の図柄からなる図柄群（図柄グループ）を複数種類設けておき、前記処理において一つの図柄群を決定する。図柄群の各図柄はそれぞれ各領域３４，３５，３６の入球順序と対応して大当り遊技のラウンド数が決められている。
そして、特図の変動を大当りが生起することを示す図柄グループ図柄で停止して条件装置を作動させ、入球順序（検出順序）に基づいて大当り遊技の内容（役物連続作動回数）を決定した後に、予め決定されていた大当り図柄を最確定表示することが望ましい。このようにすることで、図柄グループ図柄によって図柄グループが判明しても入球順序（検出順序）と大当り遊技のラウンド数との関係までは判断できず、入球順序（検出順序）が決定した後に大当り図柄を表示するため、過去の経験（データ）に基づいて有利な役物連続作動回数を狙うことができなくなる。
【００６８】
次に本発明を適用した第２の実施形態を説明する。
本実施形態のパチンコ機は、前記第１の実施形態のパチンコ機と同様に、大当りとなり大当り図柄が確定表示されると、大当り図柄とＡ，Ｂ，Ｃの各領域３４，３５，３６へ入球順序（検出順序）に応じて大当り遊技の内容（ラウンド数）を決定する構成であり、かつ所定の遊技の条件が満たされると、遊技者にとって有利なラウンド数の最も多い（１６Ｒ）大当り遊技を得るための入球順序、又は遊技者にとって不利なラウンド数の最も少ない（４Ｒ）大当り遊技となる入球順序を遊技者に知らせるものである。例えば、特図の当否判定時の遊技状態が「確変」であれば「１６Ｒ」になる入球順序を示し、当否判定時の遊技状態が「時短」であれば「４Ｒ」の入球順序を示す。
尚、本実施形態のパチンコ機の基本構造は前記第１の実施形態のそれをほぼ同じで、図面において同一部材は同一符号で示し、それらの説明を省略する。
【００６９】
本実施形態のパチンコ機では、当否判定の結果が大当りとなって大当り図柄が確定表示されると、サブ統合制御装置４２において図１６に示す「検出順序表示処理１」が実行される。この処理では先ず、大当り図柄が確定表示されたか否かを確認する（Ｓ５００）。確定図柄の表示を確認すると（Ｓ５００：ｙｅｓ）、次に当否判定時の遊技状態が「確変」状態であるか否かを確認する（Ｓ５０１）。遊技状態が「確変」であれば（Ｓ５０１：ｙｅｓ）、Ｓ５０２の処理において、「１６Ｒ」の大当り遊技となる有利な入球順序の表示を行うように演出図柄制御装置４３へ指示を送り、演出図柄制御装置４３を介して演出図柄表示装置２１に前記有利な入球順序を表示させる。尚、Ｓ５０２の有利順序表示処理は特許請求の範囲に記載の有利情報報知手段に相当する。
【００７０】
図１７（ａ）は前記有利な入球順序を示す表示態様で、演出図柄表示装置２１の表示画面には、その下半部に特図に対応する３桁の数字が揃った状態の擬似演出図柄を表示するとともに、表示画面の上部右側に本パチンコ機のメインキャラクタである「くまの達吉」２１１を表示し、かつその左側に達吉２１１のセリフとして「１６Ｒを目指せ、１６ＲはＡ→Ｂ→Ｃ」といった有利な入球順序を表示する。
【００７１】
図１６に戻って、前記Ｓ５０１の処理で「確変」でなければ（Ｓ５０１：ｎｏ）、当否判定時の遊技状態が「時短」状態であるか否かを確認する（Ｓ５０３）。遊技状態が「時短」であれば（Ｓ５０３：ｙｅｓ）、Ｓ５０４の処理において、「４Ｒ」の大当り遊技となる不利な入球順序の表示を行うように演出図柄制御装置４３へ指示を送り、演出図柄制御装置４３を介して演出図柄表示装置２１に前記不利な入球順序を表示させる。尚、Ｓ５０４の不利順序表示処理は特許請求の範囲に記載の不利情報報知手段に相当する。
図１７（ｂ）に示すように不利な入球順序を示す表示態様では、「くまの達吉」２１１のセリフとして「１６Ｒを目指せ、４ＲはＡ→Ｂ→Ｃ」といった不利な入球順序を表示する。
【００７２】
図１６の前記Ｓ５０３の処理で「時短」でなければ（Ｓ５０３：ｎｏ）、Ｓ５０５の処理において、入球順序の表示を行なわない通常表示処理となる。
図１７（ｃ）に示すように通常の表示態様では、「くまの達吉」２１１のセリフとして「１６Ｒを目指せ」といった表示を行う。
【００７３】
本実施形態のパチンコ機によれば、「有利な入球順序」が表示されたときは当然遊技者は表示通りの入球順序として「１６Ｒ」の大当り遊技を得て最も多くの遊技球を獲得できる。一方「不利な入球順序」が表示されたときは当然遊技者は表示通りの入球順序を避けるので、「１６Ｒ」又は「１０Ｒ」の大当り遊技となり、この場合の平均ラウンド数が１１．２Ｒとなるので、適当な順序(不利な入球順序も含む)で入球させるよりも多くの遊技球を獲得できる（適当な順序で入球させた場合には平均ラウンド数は１０Ｒ）。このように入球順序を表示するといったサブ統合制御装置４２、演出図柄制御装置４２および演出図柄表示装置２１の演出により大当り遊技よって得られる賞球（ラウンド）に影響を与えることができ、遊技の面白味を増すことができる。
【００７４】
尚、本実施形態の他の構成として、「確変」時に「有利な入球順序」のみを表示し、「確変」時以外は順序を表示しない構成、「確変」時に「不利な入球順序」のみを表示し、「確変」時以外は順序を表示しない構成、「時短」時に「有利な入球順序」のみを表示し、「時短」時以外は順序を表示しない構成、「時短」時に「不利な入球順序」のみを表示し、「時短」時以外は順序を表示しない構成でもよい。
また、遊技状態に基づいて「有利な入球順序」のみを表示、「不利な入球順序」のみを表示および「順序を表示しない」のうちのいずれかを行うのではなく、主に「有利な入球順序」を表示（確率的には低いが「不利な入球順序」の表示や「順序を表示しない」も選択される）、主に「不利な入球順序」を表示（確率的には低いが「有利な入球順序」の表示や「順序を表示しない」も選択される）又は主に「順序を表示しない」（確率的には低いが「有利な入球順序」の表示や「不利な入球順序」の表示も選択される）構成に置き換えても何等差し支えない。
【００７５】
本発明の第３の実施形態として、「入球順序」を表示する条件として、大当りが第１始動口２３Ａへの入球に起因する大当りであることを条件とするパチンコ機の説明をする。本パチンコ機は前記第２の実施形態のパチンコ機と同様な基本構成を有する。
【００７６】
本パチンコ機は、当否判定の結果が大当りとなって大当り図柄が確定表示されると、サブ統合制御装置４２において図１８に示す「検出順序表示処理２」が実行される。この処理では先ず、大当り図柄が確定表示されたか否かを確認する（Ｓ５１０）。確定図柄の表示を確認すると（Ｓ５１０：ｙｅｓ）、次に大当りが第１始動口２３Ａへの入球を起因とする当否判定（第１特図の図柄変動）によるものであるか否かを確認する（Ｓ５１１）。第１始動口２３Ａへの入球を起因とする大当りであれば（Ｓ５１１：ｙｅｓ）、Ｓ５１２の処理において、「１６Ｒ」の大当り遊技となる「有利な入球順序」の表示を行うように演出図柄制御装置４３へ指示を送り、演出図柄制御装置４３を介して演出図柄表示装置２１に前記「有利な入球順序」を表示させる。
【００７７】
前記Ｓ５１１の処理で第１始動口２３Ａへの入球を起因とする大当りでなければ（Ｓ５１１：ｎｏ）、Ｓ５１３の処理において、「４Ｒ」の大当り遊技となる「不利な入球順序」の表示を行うように演出図柄制御装置４３へ指示を送り、演出図柄制御装置４３を介して演出図柄表示装置２１に前記「不利な入球順序」を表示させる。
【００７８】
本実施形態のパチンコ機によれば前記第２の実施形態と同様な作用効果が得られる。
また本実施形態の他の構成として、第１始動口２３Ａへの入球に起因する大当りでは「有利な入球順序」を示し、それ以外では順序を表示しない構成、第１始動口２３Ａへの入球に起因する大当り時に「不利な入球順序」を表示し、それ以外は「有利な入球順序」を示す構成、第１始動口２３Ａへの入球に起因する大当りでは「不利な入球順序」を示し、それ以外では順序を表示しない構成、第２始動口２３Ｂへの入球に起因する大当りでは「有利な入球順序」を示し、それ以外では「不利な入球順序」を示す構成、第２始動口２３Ｂへの入球に起因する大当りでは「有利な入球順序」を示し、それ以外では順序を表示しない構成、第２始動口２３Ｂへの入球に起因する大当り時に「不利な入球順序」を表示し、それ以外は「有利な入球順序」を示す構成、第２始動口２３Ｂへの入球に起因する大当りでは「不利な入球順序」を示し、それ以外では順序を表示しない構成でもよい。
【００７９】
本発明の第４の実施形態として、「入球順序」を表示する条件として、当否判定が大当りとなった時点で乱数を抽出し、該乱数に応じた抽選を行い抽選結果を条件とするパチンコ機について説明する。本パチンコ機は前記第２の実施形態のパチンコ機と同様な基本構成を有する。
【００８０】
図１９に示す「表示乱数抽出処理」はサブ統合制御装置４２により実行される処理で、前記抽選に用いる「表示乱数」を抽出する。
Ｓ６００の処理において、主制御装置４０からの特図変動開始コマンド（図８のＳ３２１参照）の受信により当否判定の結果が大当りであるか否かを確認する。当否判定の結果が大当りであれば（Ｓ６００：ｙｅｓ）、表示乱数を抽出する（Ｓ６０１）。例えば表示乱数は「０〜９」の整数から１つの数値を選択・記憶する。
【００８１】
次に大当り図柄が確定表示されると、サブ統合制御装置４２において図２０に示す「検出順序表示処理３」が実行される。この処理では先ず、大当り図柄が確定表示されたか否かを確認する（Ｓ５２０）。確定図柄の表示を確認すると（Ｓ５２０：ｙｅｓ）、次に前記表示乱数が「０〜２」であるか否かを確認する（Ｓ５２１）。表示乱数が「０〜２」であれば（Ｓ５２１：ｙｅｓ）、Ｓ５２２の処理において、「１６Ｒ」の大当り遊技となる有利な入球順序の表示を行うように演出図柄制御装置４３へ指示を送り、演出図柄制御装置４３を介して演出図柄表示装置２１に前記「有利な入球順序」を表示させる。
【００８２】
前記Ｓ５２１の処理で表示乱数が「０〜２」でなければ（Ｓ５２１：ｎｏ）、表示乱数が「３〜６」であるか否かを確認する（Ｓ５２３）。表示乱数が「３〜６」であれば（Ｓ５２３：ｙｅｓ）、Ｓ５２４の処理において、「４Ｒ」の大当り遊技となる不利な入球順序の表示を行うように演出図柄制御装置４３へ指示を送り、演出図柄制御装置４３を介して演出図柄表示装置２１に前記「不利な入球順序」を表示させる。尚、Ｓ５２１、Ｓ５２３の処理は特許請求の範囲に記載の抽選手段に相当する。
【００８３】
前記Ｓ５２３の処理で表示乱数が「３〜６」でなければ（Ｓ５２３：ｎｏ）、Ｓ５２５の処理において、入球順序の表示を行なわない通常表示処理となる。
【００８４】
本実施形態によれば前記第２の実施形態と同様な作用効果が得られる。また前記第２および第３の実施形態では入球順序の表示が行われるか否かが遊技者は予想することができるが、本実施形態のように乱数を用いた抽選とすることで、予想ができず、「有利な入球順序」を示して欲しいといった遊技者の期待感を高めることができ、より面白味が増す。
尚、本実施形態の他の構成として、表示乱数を抽出する契機（条件）を異ならせてもよい。例えば、主制御装置４０から送信される（図６に図示しない）始動入賞時に当否の事前判定の結果を示す先読みコマンド、図９のＳ３３１で送信される確定コマンド等の受信に起因して抽出するように構成しても何等差し支えない。
【００８５】
前記第１乃至第４の実施形態において大当りの遊技の内容（ラウンド数）を決めるのには振分装置３０のＡ，Ｂ，Ｃの各領域３４，３５，３６への入球の順序を用いたがこれに限らず、本発明の第５の実施形態として、遊技者が操作可能な複数の操作ボタンの操作順序により大当りの遊技の内容を決めるようにしてもよい。
図２１に示すように、本実施形態のパチンコ機１Ａには、上皿１２の前面に遊技者により操作が可能な３つの操作ボタンであるＡボタン７１、Ｂボタン７２、Ｃボタン７３が設置してある。そして、Ａ乃至Ｃの各ボタン７１，７２，７３は遊技者により押圧操作されたとき、図４に示す前記Ａ乃至Ｃの各検出ＳＷ５０８，５０９，５１０により操作が検出され、検出信号が主制御装置４０へ送信される。
【００８６】
Ａ乃至Ｃの各検出ＳＷ５０８，５０９，５１０からの検出信号を受信した主制御装置４０は、図１１に示した前記「役物連続作動回数決定処理」を実行して大当り遊技のラウンド数を決定する。
遊技者により操作が可能な３つの操作ボタン７１，７２，７３を用いる構成は前記第１乃至第４の実施形態のいずれにおいても、前記Ａ乃至Ｃの各領域３４，３５，３６を有する振分装置３０に代えて実施することができる。
前記振分装置３０による構成では、思った領域に入球させるには振分のタイミングを見計らって遊技球を発射しなければならず遊技者に操作のストレスを与えるおそれがあるが、３つの操作ボタン７１，７２，７３を用いる構成では、振分装置３０に比べて容易に遊技者が思った順序に操作でき、遊技者の操作に対するストレスを軽減できる。
【００８７】
尚、本発明は前記各実施形態に限定されるものではなく、本発明の要旨を逸脱しない範囲でさまざまに実施できることは勿論である。例えば、前記「入球順序(検出順序)」を表示する条件として、前記第２の実施形態の条件と前記第３の実施形態の条件とを組合せて、「確変」で「有利な入球順序」を表示するとともに「第１始動口の大当り」で「不利な入球順序」を表示し、これら以外は入球順序の表示を行わない構成等としてもよい。
また、前記第２の実施形態の条件と前記第４の実施形態の条件とを組合せて、「確変」で「有利な入球順序」を表示するとともに「確変」以外では「表示乱数」による抽選に基づいて入球順序の表示を行う又は行わない構成等としてもよい。
更に、前記第３の実施形態の条件と前記第４の実施形態の条件とを組合せて、「第１始動口の大当り」で「有利な入球順序」を表示するとともに「第１始動口の大当り」以外では「表示乱数」による抽選に基づいて入球順序の表示を行う又は行わない構成等としてもよい。
更にまた、前記第２乃至第４の実施形態の条件を組合せて、「確変」で「有利な入球順序」を表示するとともに「第１始動口の大当り」で「不利な入球順序」を表示し、これら以外は「表示乱数」による抽選に基づいて入球順序の表示を行う又は行わない構成等としてもよい。
また本発明は、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【符号の説明】
【００８８】
１、１Ａ  パチンコ機（遊技機）
２  遊技盤
２１  演出図柄表示装置（表示装置）
２３Ａ  第１始動口（始動口）
２３Ｂ  第２始動口（始動口）
２４  大入賞装置（大入賞口）
３０  振分部材（振分手段）
３４  Ａ領域（所定の領域）
３５  Ｂ領域（所定の領域）
３６  Ｃ領域（所定の領域）
４０  主制御装置（当否判定手段、図柄決定手段、条件装置、役物連続作動装置、役物連続作動回数決定手段、特典遊技付与手段）
４２  サブ統合制御装置（有利情報報知手段、不利情報報知手段、抽選手段）
４３  演出図柄制御装置
７１  Ａボタン（操作ボタン）
７２  Ｂボタン（操作ボタン）
７３  Ｃボタン（操作ボタン）
５０８  Ａ検出ＳＷ（検出手段）
５０９  Ｂ検出ＳＷ（検出手段）
５１０  Ｃ検出ＳＷ（検出手段）
【図１】
2014079610.tif 000003
【図２】
2014079610.tif 000004
【図３】
2014079610.tif 000005
【図４】
2014079610.tif 000006
【図５】
2014079610.tif 000007
【図６】
2014079610.tif 000008
【図７】
2014079610.tif 000009
【図８】
2014079610.tif 000010
【図９】
2014079610.tif 000011
【図１０】
2014079610.tif 000012
【図１１】
2014079610.tif 000013
【図１２】
2014079610.tif 000014
【図１３】
2014079610.tif 000015
【図１４】
2014079610.tif 000016
【図１５】
2014079610.tif 000017
【図１６】
2014079610.tif 000018
【図１７】
2014079610.tif 000019
【図１８】
2014079610.tif 000020
【図１９】
2014079610.tif 000021
【図２０】
2014079610.tif 000022
【図２１】
2014079610.tif 000023